(57)【要約】  本開示は、より高いインタラクティブ性を備えた動画像配信サービスを提供することができるようにする情報処理装置、情報処理方法、プログラム、動画像配信システムに関する。情報取得部は、配信動画像を表示する配信動画像表示領域に対して、または、配信動画像表示領域の外側に設けられる外側領域に対して表示される付加画像を、配信動画像表示領域と外側領域との一方から他方へ移動させる情報を取得する。表示制御部は、情報に基づいて、付加画像が配信動画像表示領域と外側領域との間で移動する場合に、付加画像の表示を制御する。本技術は、例えば、インタラクティブ性を備えた動画像配信サービスを提供する動画像配信システムに適用できる。
2017159383.tif 000002
【特許請求の範囲】
【請求項１】
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、
前記情報に基づいて、前記付加画像が前記配信動画像表示領域と前記外側領域との間で移動する場合に、前記付加画像の表示を制御する表示制御部と
を備える情報処理装置。
【請求項２】
前記情報取得部は、前記情報として、前記配信動画像を視聴している視聴者に対応する前記付加画像である第１の付加画像から、前記配信動画像に出演している出演者へ向かう前記付加画像である第２の付加画像を移動させるイベント情報を取得し、
前記表示制御部は、前記第１の付加画像が表示されている前記外側領域から前記配信動画像表示領域に前記第２の付加画像が移動する際に、前記外側領域における移動から前記配信動画像における移動が連続的な軌跡となるように前記第２の付加画像を表示させる
請求項１に記載の情報処理装置。
【請求項３】
前記情報取得部は、前記情報として、前記配信動画像を視聴している視聴者に対応する前記付加画像が前記配信動画像に出演している出演者に対して所定の演出を行うイベント情報を取得し、
前記表示制御部は、前記外側領域に表示されている前記付加画像が非表示となったタイミングで前記配信動画像における前記出演者の表示領域以外の任意の箇所に前記付加画像を表示させ、前記付加画像による前記出演者に対する前記演出が終了した後、前記配信動画像上から前記付加画像を非表示にするとともに、前記外側領域に表示されるように前記付加画像の表示を制御する
請求項１に記載の情報処理装置。
【請求項４】
前記情報取得部は、前記情報として、前記外側領域から前記配信動画像内を通過して前記外側領域に戻るように前記付加画像を移動させるイベント情報を取得し、
前記表示制御部は、前記外側領域から前記配信動画像表示領域に前記付加画像が移動する際に、前記外側領域における移動から前記配信動画像における移動が連続的な軌跡となるように前記付加画像を表示させ、前記付加画像が前記配信動画像内を通過した後、前記配信動画像表示領域から前記外側領域に前記付加画像が移動する際に、前記配信動画像における移動から前記外側領域における移動が連続的な軌跡となるように前記付加画像の表示を制御する
請求項１に記載の情報処理装置。
【請求項５】
前記情報取得部は、前記情報として、前記配信動画像に出演している出演者が、前記配信動画像を視聴している視聴者に対応する前記付加画像である第１の付加画像に対して所定の演出を行うイベント情報を取得し、
前記表示制御部は、前記配信動画像上の前記出演者から前記外側領域に表示されている前記第１の付加画像に向かう前記付加画像である第２の付加画像を前記配信動画像に移動して表示させるとともに、前記配信動画像表示領域から前記外側領域に前記第２の付加画像が移動する際に、前記配信動画像における移動から前記外側領域における移動が連続的な軌跡となるように前記第２の付加画像の表示を制御する
請求項１に記載の情報処理装置。
【請求項６】
前記表示制御部は、前記外側領域に表示されている前記第１の付加画像に届いた前記第２の付加画像が前記外側領域から前記配信動画像表示領域に戻る移動の際に、前記外側領域における移動から前記配信動画像における移動が連続的な軌跡となるように前記第２の付加画像の表示を制御する
請求項５に記載の情報処理装置。
【請求項７】
前記配信動画像に出演している出演者の表示位置を解析する出演者解析部をさらに備え、
前記表示制御部は、前記出演者の表示位置に重ならないように前記付加画像の表示を制御する
請求項１に記載の情報処理装置。
【請求項８】
前記表示制御部は、前記配信動画像表示領域における前記付加画像の表示を制御し、
前記配信動画像を表示する他の情報処理装置において、前記付加画像を前記外側領域に表示させる際に、前記表示制御部による前記付加画像の表示と連動させるのに必要な前記情報である表示制御情報を生成する表示制御情報生成部をさらに備える
請求項１に記載の情報処理装置。
【請求項９】
前記表示制御情報生成部で生成された表示制御情報は、前記表示制御部にも供給され、
前記表示制御部は、前記表示制御情報を、前記動画像に対して次の処理を行う際の前記付加画像の表示に反映させる
請求項８に記載の情報処理装置。
【請求項１０】
前記配信動画像に出演する出演者が映されている動画像を取得する動画像取得部と、
前記表示制御部による表示の制御に従って、前記動画像取得部が取得した前記動画像に対して前記付加画像を付加して前記配信動画像を生成する配信動画像生成部と
をさらに備え、
前記情報取得部は、他の情報処理装置で前記配信動画像を視聴している視聴者による操作に従って、前記他の情報処理装置から送信されてくるイベント情報を前記情報として取得し、
前記表示制御部は、前記イベント情報に基づいて、前記配信動画像表示領域における前記付加画像の表示を制御する
請求項１に記載の情報処理装置。
【請求項１１】
前記情報取得部は、他の情報処理装置から送信されてくる、前記付加画像を前記配信動画像表示領域から前記外側領域に移動させる際に、前記配信動画像表示領域および前記外側領域の間で前記付加画像の表示を連動させるのに必要な表示制御情報を前記情報として取得し、
前記表示制御部は、前記表示制御情報に基づいて前記外側領域における前記付加画像の表示の制御を行い、
前記他の情報処理装置から配信される前記配信動画像を取得する配信動画像取得部と、
前記表示制御部による前記付加画像の表示の制御に従って前記付加画像が表示されるように前記外側領域を描画する外側領域描画処理部と、
前記配信動画像取得部が取得した前記配信動画像を前記配信動画像表示領域に表示し、その外側に前記外側領域描画処理部により描画された前記外側領域を表示するような再生画面を生成する再生画面生成部と
をさらに備える請求項１に記載の情報処理装置。
【請求項１２】
前記表示制御部は、複数の前記配信動画像表示領域が表示されている場合、一方の前記配信動画像表示領域から他方の前記配信動画像表示領域への前記付加画像の移動が連動するように、前記付加画像の表示を制御する
請求項１に記載の情報処理装置。
【請求項１３】
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得し、
前記情報に基づいて、前記付加画像が前記配信動画像表示領域と前記外側領域との間で移動する場合に、前記付加画像の表示を制御する
ステップを含む情報処理方法。
【請求項１４】
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得し、
前記情報に基づいて、前記付加画像が前記配信動画像表示領域と前記外側領域との間で移動する場合に、前記付加画像の表示を制御する
ステップを含む情報処理をコンピュータに実行させるプログラム。
【請求項１５】
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、
前記情報に基づいて、前記付加画像が前記配信動画像表示領域と前記外側領域との間で移動する場合に、前記付加画像の表示を制御する表示制御部と
を備える複数の情報処理装置がネットワークを介して接続されて構成される動画像配信システム。
【発明の詳細な説明】
【技術分野】
【０００１】
本開示は、情報処理装置、情報処理方法、プログラム、動画像配信システムに関し、特に、より高いインタラクティブ性を備えた動画像配信サービスを提供することができるようにした情報処理装置、情報処理方法、プログラム、動画像配信システムに関する。
【背景技術】
【０００２】
従来、リアルタイムストリーミングを用いたインターネット上のライブ放送において、放送動画像上にコメントや吹き出しなどのエフェクトを重畳した動画像配信サービスが提供されている。また、動画像の周辺描画領域に、キャラクタを配置し、それをアニメーションさせる動画像配信システムが提供されている。【０００３】
このような動画像配信システムでは、出演者の演出に合わせて、視聴者のコメントを表示したりキャラクタを動かしたりするようなインタラクティブ性を備えることにより、出演者および視聴者が一体感を共有することができる。【０００４】
例えば、特許文献１には、遠隔地において取得された複数の動画像を、ほぼリアルタイムに合成する編集を行って、複数の動画像が合成された動画像を配信する画像合成システムが開示されている。また、特許文献２には、視聴クライアントごとに異なるデータが付加されたストリーミング映像を配信可能なストリーミング視聴システムが開示されている。
【先行技術文献】
【特許文献】
【０００５】
【特許文献１】特開２００３−２５９２１４号公報
【特許文献２】特開２００４−２５３９３３号公報
【発明の概要】
【発明が解決しようとする課題】
【０００６】
ところで、上述したように、従来からもインタラクティブ性を備えた動画像配信システムが提供されているが、出演者および視聴者の一体感をさらに向上させるような、より高いインタラクティブ性を備えた動画像配信サービスが求められている。【０００７】
本開示は、このような状況に鑑みてなされたものであり、より高いインタラクティブ性を備えた動画像配信サービスを提供することができるようにするものである。
【課題を解決するための手段】
【０００８】
本開示の一側面の情報処理装置は、配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、前記情報に基づいて、前記付加画像が前記配信動画像表示領域と前記外側領域との間で移動する場合に、前記付加画像の表示を制御する表示制御部とを備える。【０００９】
本開示の一側面の情報処理方法またはプログラムは、配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得し、前記情報に基づいて、前記付加画像が前記配信動画像表示領域と前記外側領域との間で移動する場合に、前記付加画像の表示を制御するステップを含む。【００１０】
本開示の一側面の動画像配信システムは、配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、前記情報に基づいて、前記付加画像が前記配信動画像表示領域と前記外側領域との間で移動する場合に、前記付加画像の表示を制御する表示制御部とを備える複数の情報処理装置がネットワークを介して接続されて構成される。【００１１】
本開示の一側面においては、配信動画像を表示する配信動画像表示領域に対して、または、配信動画像表示領域の外側に設けられる外側領域に対して表示される付加画像を、配信動画像表示領域と外側領域との一方から他方へ移動させる情報が取得され、その情報に基づいて、付加画像が配信動画像表示領域と外側領域との間で移動する場合に、付加画像の表示が制御される。
【発明の効果】
【００１２】
本開示の一側面によれば、より高いインタラクティブ性を備えた動画像配信サービスを提供することができる。
【図面の簡単な説明】
【００１３】
【図１】本技術を適用した動画像配信システムの一実施の形態の構成例を示すブロック図である。
【図２】動画像配信システムにより提供される動画像配信サービスについて説明する図である。
【図３】配信サーバの構成例を示すブロック図である。
【図４】視聴者側情報処理装置の構成例を示すブロック図である。
【図５】出演者側情報処理装置の構成例を示すブロック図である。
【図６】第１のイベントにおけるインタラクティブ表示を示す図である。
【図７】第２のイベントにおけるインタラクティブ表示を示す図である。
【図８】第２のイベントにおけるインタラクティブ表示を示す図である。
【図９】第３のイベントにおけるインタラクティブ表示を示す図である。
【図１０】第４のイベントにおけるインタラクティブ表示を示す図である。
【図１１】第４のイベントにおけるインタラクティブ表示を示す図である。
【図１２】第５のイベントにおけるインタラクティブ表示を示す図である。
【図１３】第５のイベントにおけるインタラクティブ表示を示す図である。
【図１４】第５のイベントにおけるインタラクティブ表示を示す図である。
【図１５】第６のイベントにおけるインタラクティブ表示を示す図である。
【図１６】第６のイベントにおけるインタラクティブ表示を示す図である。
【図１７】複数の配信動画像表示領域が表示される配信動画像再生画面の表示例を示す図である。
【図１８】配信サーバにおいて行われる表示処理を説明するフローチャートである。
【図１９】視聴者側情報処理装置において行われる表示処理を説明するフローチャートである。
【図２０】本技術を適用したコンピュータの一実施の形態の構成例を示すブロック図である。
【発明を実施するための形態】
【００１４】
以下、本技術を適用した具体的な実施の形態について、図面を参照しながら詳細に説明する。
【００１５】
図１は、本技術を適用した動画像配信システムの一実施の形態の構成例を示すブロック図である。
【００１６】
図１に示すように、動画像配信システム１１は、インターネットなどのネットワーク１２を介して、配信サーバ１３、Ｎ台（複数台）の視聴者側情報処理装置１４−１乃至１４−Ｎ、および出演者側情報処理装置１５が接続されて構成される。
【００１７】
配信サーバ１３は、出演者側情報処理装置１５から送信されてくる動画像を、ネットワーク１２を介して視聴者側情報処理装置１４−１乃至１４−Ｎに配信する。このとき、配信サーバ１３は、例えば、出演者側情報処理装置１５から供給される動画像に、所定のイベントに対応した画像（後述するアイテム画像Ａやキャラクタ画像Ｃなど）を重畳させる表示処理を施し、その表示処理により生成される配信動画像を配信する。
【００１８】
視聴者側情報処理装置１４−１乃至１４−Ｎは、ネットワーク１２を介して配信サーバ１３から配信されてくる配信動画像を表示して、それぞれの利用者に視聴させる。そして、視聴者側情報処理装置１４−１乃至１４−Ｎは、それぞれの利用者である視聴者により配信動画像に対して所定のイベントを発生させる操作が行われると、そのイベントに対応する画像を動画像に重畳させるのに必要なイベント情報を配信サーバ１３に送信する。なお、視聴者側情報処理装置１４−１乃至１４−Ｎは、同様に構成されており、それぞれを区別する必要がない場合、以下適宜、視聴者側情報処理装置１４と称する。
【００１９】
出演者側情報処理装置１５は、出演者側情報処理装置１５の利用者を出演者として撮像した動画像を生成して、ネットワーク１２を介して逐次的に、配信サーバ１３に送信する。また、出演者側情報処理装置１５は、視聴者側情報処理装置１４と同様に、出演者による操作に応じたイベントに対応する画像を動画像に重畳させるのに必要なイベント情報を配信サーバ１３に送信する。
【００２０】
このように構成される動画像配信システム１１は、出演者が映された動画像に対して、視聴者または出演者によるイベントの発生に従った画像が重畳された配信動画像を配信する動画像配信サービスを提供することができる。
【００２１】
ここで、図２に示す配信動画像再生画面を参照して、動画像配信システム１１により提供される動画像配信サービスについて説明する。
【００２２】
例えば、視聴者側情報処理装置１４および出演者側情報処理装置１５の表示部には、図２に示すような配信動画像再生画面１６が表示される。
【００２３】
配信動画像再生画面１６では、その略中央に、配信サーバ１３から配信される配信動画像を表示する配信動画像表示領域１７が配置されており、配信動画像表示領域１７の外側となる領域が外側領域１８とされる。
【００２４】
配信動画像表示領域１７には、例えば、出演者側情報処理装置１５から配信サーバ１３に送信された動画像、または、その動画像に対して配信サーバ１３において表示処理が施された動画像が、配信動画像として表示される。
【００２５】
外側領域１８には、例えば、配信動画像再生画面１６を表示している視聴者側情報処理装置１４において配信動画像を視聴している視聴者に対応し、その視聴者の分身として画面上に登場するキャラクタ画像Ｃが表示される。また、外側領域１８には、他の複数の視聴者側情報処理装置１４の視聴者に対応する複数のキャラクタ画像も表示されており、それらのキャラクタ画像によって、複数の視聴者による配信動画像の視聴を疑似的に共有体験することができる。
【００２６】
そして、動画像配信システム１１では、視聴者または出演者の操作などに応じて発生するイベントに対応して、視聴者と出演者との間で相互に作用するようなインタラクティブ表示を行うことができる。
【００２７】
例えば、視聴者側情報処理装置１４の視聴者が、自身のキャラクタ画像Ｃから、配信動画像表示領域１７内の出演者に向かって、アイテムを投げるイベントを発生させる操作を行ったとする。これに従い、配信動画像再生画面１６では、アイテム画像Ａが、外側領域１８に表示されているキャラクタ画像Ｃの近傍に表れ、配信動画像表示領域１７に向かって移動した後、配信動画像表示領域１７の動画像に重畳して表示され、出演者まで届くようなインタラクティブ表示が行われる。
【００２８】
このとき、動画像配信システム１１では、外側領域１８におけるアイテム画像Ａの表示は、視聴者側情報処理装置１４および出演者側情報処理装置１５それぞれにおいて行われ、配信動画像表示領域１７におけるアイテム画像Ａの表示は、配信サーバ１３において行われる。従って、動画像配信システム１１では、アイテム画像Ａが、外側領域１８および配信動画像表示領域１７の間で移動する前後において連動するように、例えば、アイテム画像Ａが連続的な軌跡で表示されるように、アイテム画像Ａの表示制御が行われる。
【００２９】
このように、動画像配信システム１１は、視聴者が出演者に向かってアイテムを投げるようなインタラクティブ表示を行うことで、視聴者および出演者にとって、より高いインタラクティブ性を備えた動画像配信サービスを提供することができる。
【００３０】
次に、図３は、図１の配信サーバ１３の構成例を示すブロック図である。
【００３１】
図３に示すように、配信サーバ１３は、動画像取得部２１、イベント情報取得部２２、出演者解析部２３、記憶部２４、キャラクタ表示制御部２５、アイテム表示制御部２６、配信動画像生成部２７、および表示制御情報生成部２８を備えて構成される。また、配信サーバ１３は、図示しない通信部を備えており、その通信部によって、図１のネットワーク１２を介して出演者側情報処理装置１５および視聴者側情報処理装置１４と通信を行うことができる。
【００３２】
動画像取得部２１は、出演者側情報処理装置１５からネットワーク１２を介して送信されてくる動画像、例えば、出演者が映されている動画像を取得して、出演者解析部２３および配信動画像生成部２７に供給する。
【００３３】
イベント情報取得部２２は、視聴者側情報処理装置１４または出演者側情報処理装置１５からネットワーク１２を介して送信されてくるイベント情報を取得する。そして、イベント情報取得部２２は、イベント情報の内容に従って、キャラクタ表示制御部２５またはアイテム表示制御部２６に適宜、イベント情報を供給する。
【００３４】
例えば、図２を参照して上述したように、キャラクタ画像Ｃが配信動画像に向かってアイテム画像Ａを投げるイベントが発生すると、視聴者側情報処理装置１４は、そのイベントの内容を示すイベント情報を、ネットワーク１２を介して送信する。そして、イベント情報取得部２２は、イベント情報を取得し、その内容に従って、アイテム表示制御部２６にイベント情報を供給する。このとき、イベント情報には、外側領域１８と配信動画像表示領域１７との間で連動するようにアイテム画像Ａを動画像に表示させるのに必要な情報が含まれている。例えば、イベント情報には、アイテム画像Ａの種類を示す情報、および、外側領域１８から配信動画像表示領域１７にアイテム画像Ａが移動するタイミングや、位置、方向、速度などを示す情報が含まれている。
【００３５】
また、例えば、図７および図８を参照して後述するように、配信動画像表示領域１７にキャラクタ画像Ｃが表示されるようなイベントが発生する場合、イベント情報取得部２２は、イベント情報の内容に従って、キャラクタ表示制御部２５にイベント情報を供給する。このとき、イベント情報には、外側領域１８と配信動画像表示領域１７との間で連動するようにキャラクタ画像Ｃを動画像に表示させるのに必要な情報が含まれている。
【００３６】
出演者解析部２３は、動画像取得部２１から供給される動画像に映されている出演者の顔や身体の位置を解析して、その解析の結果得られる出演者の表示位置を示す出演者表示位置情報を、キャラクタ表示制御部２５およびアイテム表示制御部２６に供給する。また、出演者解析部２３は、出演者の動作や表情などを解析したり、出演者が持っている物（例えば、後述する図９に示すようなパネル）などを解析したりして、その解析結果に従ったイベント情報をイベント情報取得部２２に供給する。
【００３７】
例えば、動画像配信システム１１では、出演者の動作や表情など、または、出演者が持っている物が、それぞれ対応するイベントを発生させる発生条件として設定されている。そのような設定に従い、出演者解析部２３は、出演者を解析した解析結果がイベントの発生条件を満たしている場合、解析結果に対応するイベント情報をイベント情報取得部２２に供給する。
【００３８】
記憶部２４は、キャラクタ表示制御部２５が動画像に重畳して表示させるキャラクタ画像Ｃや、アイテム表示制御部２６が動画像に重畳して表示させるアイテム画像Ａなど、各種の画像を記憶している。
【００３９】
キャラクタ表示制御部２５は、イベント情報取得部２２から供給されるイベント情報、および、出演者解析部２３から供給される出演者表示位置情報に従って、配信動画像表示領域１７において配信動画像に重畳して表示されるキャラクタ画像Ｃの表示を制御する。
【００４０】
例えば、キャラクタ表示制御部２５は、外側領域１８から配信動画像表示領域１７にキャラクタ画像Ｃが移動する場合、まず、イベント情報に基づいて記憶部２４からキャラクタ画像Ｃを読み出す。そして、キャラクタ表示制御部２５は、イベント情報に従って外側領域１８との表示が連動するように、かつ、出演者表示位置情報に従って出演者の表示位置に重ならないように、配信動画像表示領域１７におけるキャラクタ画像Ｃの表示制御を行う。また、キャラクタ表示制御部２５は、配信動画像表示領域１７から外側領域１８にキャラクタ画像Ｃが移動する場合、そのキャラクタ画像Ｃの種類、および、キャラクタ画像Ｃが移動するタイミングや、位置、方向、速度などを表示制御情報生成部２８に指示する。
【００４１】
アイテム表示制御部２６は、イベント情報取得部２２から供給されるイベント情報、および、出演者解析部２３から供給される出演者表示位置情報に従って、配信動画像表示領域１７において配信動画像に重畳して表示されるアイテム画像Ａの表示を制御する。
【００４２】
例えば、アイテム表示制御部２６は、外側領域１８から配信動画像表示領域１７にアイテム画像Ａが移動する場合、まず、イベント情報に基づいて記憶部２４からアイテム画像Ａを読み出す。そして、アイテム表示制御部２６は、イベント情報に従って外側領域１８との表示が連動するように、かつ、出演者表示位置情報に従って出演者の表示位置に重ならないように、配信動画像表示領域１７におけるアイテム画像Ａの表示制御を行う。また、アイテム表示制御部２６は、配信動画像表示領域１７から外側領域１８にアイテム画像Ａが移動する場合、そのアイテム画像Ａの種類、および、アイテム画像Ａが移動するタイミングや、位置、方向、速度などを表示制御情報生成部２８に指示する。
【００４３】
配信動画像生成部２７は、動画像取得部２１から供給される動画像に対して、キャラクタ表示制御部２５による表示制御に従った位置でキャラクタ画像Ｃを合成する合成処理、および、アイテム表示制御部２６による表示制御に従った位置でアイテム画像Ａを合成する合成処理を行う。これにより、配信動画像生成部２７は、動画像に対してキャラクタ画像Ｃおよびアイテム画像Ａが重畳されるように合成された配信動画像を生成し、その配信動画像を、ネットワーク１２を介して出演者側情報処理装置１５および視聴者側情報処理装置１４に送信する。
【００４４】
表示制御情報生成部２８は、キャラクタ表示制御部２５からの指示に従って、配信動画像表示領域１７から外側領域１８にキャラクタ画像Ｃが移動する場合に、その移動の前後で連動するようにキャラクタ画像Ｃを表示させるのに必要な表示制御情報を生成する。同様に、表示制御情報生成部２８は、アイテム表示制御部２６からの指示に従って、配信動画像表示領域１７から外側領域１８にアイテム画像Ａが移動する場合に、その移動の前後で連動するようにアイテム画像Ａを表示させるのに必要な表示制御情報を生成する。そして、表示制御情報生成部２８は、そのように生成した表示制御情報を、ネットワーク１２を介して出演者側情報処理装置１５および視聴者側情報処理装置１４に送信する。
【００４５】
また、表示制御情報生成部２８から出力される表示制御情報は、イベント情報取得部２２にも供給（フィードバックループ）される。イベント情報取得部２２は、表示制御情報生成部２８から出力される表示制御情報をキャラクタ表示制御部２５またはアイテム表示制御部２６に供給し、キャラクタ表示制御部２５またはアイテム表示制御部２６は、表示制御情報を、例えば、順次供給される動画像の次のフレーム（動画像に対して次の処理を行う際）におけるキャラクタ画像Ｃおよびアイテム画像Ａの表示に反映させることができる。
【００４６】
このように、表示制御情報をイベント情報取得部２２にフィードバックさせることで、外側領域１８と同時に同期を取って、配信動画像表示領域１７に表示される配信動画像のキャラクタ画像Ｃおよびアイテム画像Ａの表示を動かすこと（アニメーション）ができる。さらに、例えば、フィードバックされた表示制御情報に基づいて、イベント情報取得部２２が次に取得するイベント情報の内容に対応するキャラクタ表示制御部２５またはアイテム表示制御部２６による表示制御を変化させることができる。また、フィードバックされた表示制御情報に基づいて、出演者解析部２３による次の解析結果に対応するキャラクタ表示制御部２５またはアイテム表示制御部２６による表示制御を変化させてもよい。
【００４７】
このように配信サーバ１３は構成されており、イベント情報に従って、キャラクタ画像Ｃおよびアイテム画像Ａの表示が、配信動画像表示領域１７と外側領域１８との間で移動する前後で連動するような配信動画像を配信することができる。
【００４８】
次に、図４は、図１の視聴者側情報処理装置１４の構成例を示すブロック図である。
【００４９】
図４に示すように、視聴者側情報処理装置１４は、通信部３１、表示部３２、操作部３３、および配信動画像処理部３４を備えて構成される。
【００５０】
通信部３１は、例えば、インターネットなどの所定の通信規格に準じた通信を行うことが可能であり、図１のネットワーク１２を介して、配信サーバ１３と通信を行う。
【００５１】
表示部３２は、例えば、液晶ディスプレイや有機ＥＬ（Electro Luminescence）ディスプレイなどにより構成され、配信動画像処理部３４から出力される画像データに従って、図２に示したような配信動画像再生画面１６を表示する。
【００５２】
操作部３３は、例えば、各種のボタンやタッチパネルなどにより構成され、視聴者側情報処理装置１４の視聴者による操作を受け付けて、その操作の内容を示す操作情報を配信動画像処理部３４に供給する。例えば、視聴者は、タッチパネルに表示されているボタン画像（後述する各種のイベントの発生を指示するGUI）に対するタッチ操作や、タッチパネルに表示されているキャラクタ画像Ｃに対するドラッグ操作などを行うことができる。
【００５３】
配信動画像処理部３４は、配信動画像取得部４１、表示制御情報取得部４２、記憶部４３、キャラクタ表示制御部４４、アイテム表示制御部４５、外側領域描画処理部４６、再生画面生成部４７、およびイベント情報生成部４８を備えて構成される。
【００５４】
配信動画像取得部４１は、配信サーバ１３からネットワーク１２を介して配信されてくる配信動画像を取得して、再生画面生成部４７に供給する。
【００５５】
表示制御情報取得部４２は、配信サーバ１３からネットワーク１２を介して配信されてくる表示制御情報を取得する。そして、表示制御情報取得部４２は、表示制御情報の内容に従って、キャラクタ表示制御部４４またはアイテム表示制御部４５に適宜、表示制御情報を供給する。この表示制御情報には、配信動画像表示領域１７から外側領域１８にキャラクタ画像Ｃまたはアイテム画像Ａが移動する際に、その移動の前後で連動するような表示を行うのに必要な情報が含まれている。また、表示制御情報取得部４２は、イベント情報生成部４８からイベント情報が供給されると、イベント情報の内容に従って、キャラクタ表示制御部４４またはアイテム表示制御部４５に適宜、イベント情報を供給する。
【００５６】
記憶部４３は、キャラクタ表示制御部４４が外側領域１８に表示させるキャラクタ画像Ｃや、アイテム表示制御部４５が外側領域１８に表示させるアイテム画像Ａなど、各種の画像を記憶している。
【００５７】
キャラクタ表示制御部４４は、表示制御情報取得部４２から供給される表示制御情報またはイベント情報に従って、外側領域１８に表示されるキャラクタ画像Ｃの表示を制御する。例えば、キャラクタ表示制御部４４は、配信動画像表示領域１７から外側領域１８にキャラクタ画像Ｃが移動する場合、まず、表示制御情報に基づいて記憶部４３からキャラクタ画像Ｃを読み出す。そして、キャラクタ表示制御部４４は、表示制御情報に従って配信動画像表示領域１７との表示が連動するように、外側領域１８におけるキャラクタ画像Ｃの表示制御を行う。また、アイテム表示制御部４５は、視聴者の操作に応じたイベント情報に従って、外側領域１８におけるキャラクタ画像Ｃの表示制御を行う。
【００５８】
アイテム表示制御部４５は、表示制御情報取得部４２から供給される表示制御情報またはイベント情報に従って、外側領域１８に表示されるアイテム画像Ａの表示を制御する。例えば、アイテム表示制御部４５は、配信動画像表示領域１７から外側領域１８にアイテム画像Ａが移動する場合、まず、表示制御情報に基づいて記憶部４３からアイテム画像Ａを読み出す。そして、アイテム表示制御部４５は、表示制御情報に従って配信動画像表示領域１７との表示が連動するように、外側領域１８におけるアイテム画像Ａの表示制御を行う。また、アイテム表示制御部４５は、視聴者の操作に応じたイベント情報に従って、外側領域１８におけるアイテム画像Ａの表示制御を行う。
【００５９】
外側領域描画処理部４６は、外側領域１８に、キャラクタ表示制御部４４による表示制御に従った位置でキャラクタ画像Ｃを描画する描画処理、および、アイテム表示制御部４５による表示制御に従った位置でアイテム画像Ａを描画する描画処理を行う。そして、外側領域描画処理部４６は、キャラクタ画像Ｃおよびアイテム画像Ａが描画された外側領域１８を再生画面生成部４７に供給する。
【００６０】
再生画面生成部４７は、配信動画像取得部４１から供給される配信動画像を配信動画像表示領域１７に表示し、その外側に外側領域１８を表示するような配信動画像再生画面１６を生成する。そして、再生画面生成部４７は、配信動画像再生画面１６を表示するための画像データを表示部３２に供給して表示させる。
【００６１】
イベント情報生成部４８は、視聴者側情報処理装置１４の視聴者により操作部３３に対して行われる操作の操作情報が操作部３３から供給されると、その操作に対応するイベント情報を生成する。例えば、操作部３３がタッチパネルにより構成され、イベントの発生を指示するボタン画像が配信動画像再生画面１６に半透明で重畳されている場合、操作部３３が、そのボタン画像へのタッチを認識すると、イベント情報生成部４８は、ボタン画像に対応付けられているイベント情報を生成する。そして、イベント情報生成部４８は、生成したイベント情報を、通信部３１を介して配信サーバ１３および出演者側情報処理装置１５に送信させるとともに、表示制御情報取得部４２に供給する。
【００６２】
このように視聴者側情報処理装置１４は構成されており、表示制御情報に従って、キャラクタ画像Ｃおよびアイテム画像Ａの表示が、配信動画像表示領域１７と外側領域１８との間で移動する前後で連動するように、外側領域１８にキャラクタ画像Ｃおよびアイテム画像Ａを表示させることができる。
【００６３】
次に、図５は、図１の出演者側情報処理装置１５の構成例を示すブロック図である。図５に示す出演者側情報処理装置１５において、図４の視聴者側情報処理装置１４と共通する構成については、同一の符号を付し、その詳細な説明は省略する。
【００６４】
図５に示すように、出演者側情報処理装置１５は、通信部３１、表示部３２、操作部３３、および配信動画像処理部３４を備えて構成される点で、図４の視聴者側情報処理装置１４と共通の構成とされる。また、出演者側情報処理装置１５の配信動画像処理部３４の構成も、図４の配信動画像処理部３４と共通の構成とされる。
【００６５】
そして、出演者側情報処理装置１５は、出演者側情報処理装置１５の利用者を出演者として撮像部３５により撮像した動画像を、通信部３１によりネットワーク１２を介して配信サーバ１３に送信する点で、図４の視聴者側情報処理装置１４と異なる構成とされる。
【００６６】
撮像部３５は、例えば、CMOS（Complementary Metal Oxide Semiconductor）イメージセンサなどにより構成され、視聴者側情報処理装置１４の利用者を撮像し、その利用者が出演者として映されている動画像を通信部３１に供給する。
【００６７】
このように出演者側情報処理装置１５は構成されており、出演者が映されている動画像を通信部３１によりネットワーク１２を介して配信サーバ１３に送信することができる。そして、出演者側情報処理装置１５は、視聴者側情報処理装置１４と同様に、キャラクタ画像Ｃおよびアイテム画像Ａの表示が、配信動画像表示領域１７と外側領域１８との間で移動する前後で連動するように、外側領域１８にキャラクタ画像Ｃおよびアイテム画像Ａを表示させることができる。
【００６８】
次に、図６乃至図１６に示す配信動画像再生画面１６を参照し、動画像配信システム１１により提供される動画像配信サービスにおいて発生するイベントの例について説明する。
【００６９】
図６を参照して、第１のイベントにおけるインタラクティブ表示について説明する。
【００７０】
図６に示すように、第１のイベントでは、外側領域１８に表示されているキャラクタ画像Ｃが、配信動画像表示領域１７の配信動画像に映されている出演者に向かってアイテム画像Ａを投げるようなインタラクティブ表示が行われる。
【００７１】
例えば、視聴者側情報処理装置１４において、第１のイベントを発生させる操作が操作部３３に対して行われると、イベント情報生成部４８は、その操作に従ったイベント情報を生成して、表示制御情報取得部４２に供給する。表示制御情報取得部４２は、イベント情報の内容（アイテム画像Ａを投げる）に従って、イベント情報をアイテム表示制御部４５に供給し、アイテム表示制御部４５は、外側領域１８におけるアイテム画像Ａの表示を制御する。これにより、アイテム画像Ａが、外側領域１８に表示されているキャラクタ画像Ｃの近傍に表れ、配信動画像表示領域１７に向かって移動するように表示される。
【００７２】
さらに、イベント情報生成部４８は、同様のイベント情報を、通信部３１を介して配信サーバ１３に送信させる。配信サーバ１３では、イベント情報取得部２２は、イベント情報の内容（アイテム画像Ａを投げる）に従って、イベント情報をアイテム表示制御部２６に供給する。そして、アイテム表示制御部２６は、イベント情報に含まれている情報、例えば、アイテム画像Ａの種類を示す情報、および、外側領域１８から配信動画像表示領域１７にアイテム画像Ａが移動するタイミングや、位置、方向、速度などに従って、動画像に重畳されるアイテム画像Ａの表示を制御する。
【００７３】
従って、配信動画像再生画面１６の外側領域１８では、視聴者側情報処理装置１４のアイテム表示制御部４５によりアイテム画像Ａの表示が制御され、配信動画像再生画面１６の配信動画像表示領域１７では、配信サーバ１３のアイテム表示制御部２６によりアイテム画像Ａの表示が制御される。即ち、キャラクタ画像Ｃから配信動画像表示領域１７に向かって移動するアイテム画像Ａが配信動画像表示領域１７の外縁に到達すると、外側領域１８におけるアイテム画像Ａが表示されなくなる。そのタイミングで、外側領域１８でのアイテム画像Ａの移動方向に沿った配信動画像表示領域１７の内縁にアイテム画像Ａが表示され、アイテム画像Ａが移動を続けて出演者まで届くような表示が行われる。
【００７４】
このように、第１のイベントでは、キャラクタ画像Ｃから投げられたアイテム画像Ａが出演者まで届くように、外側領域１８と配信動画像表示領域１７との間でアイテム画像Ａの移動が連続的な軌跡となるように連動するインタラクティブ表示が行われる。これにより、動画像配信システム１１は、出演者および視聴者の一体感をさらに向上させるような、より高いインタラクティブ性を備えた動画像配信サービスを提供することができる。
【００７５】
図７および図８を参照して、第２のイベントにおけるインタラクティブ表示について説明する。
【００７６】
図７および図８に示すように、第２のイベントでは、外側領域１８に表示されているキャラクタ画像Ｃが、配信動画像表示領域１７に移動した後に、出演者に向かってアイテム画像Ａを投げるようなインタラクティブ表示が行われる。
【００７７】
例えば、視聴者側情報処理装置１４において、第２のイベントを発生させる操作が操作部３３に対して行われると、イベント情報生成部４８は、その操作に従ったイベント情報を生成して、表示制御情報取得部４２に供給する。表示制御情報取得部４２は、イベント情報の内容（キャラクタ画像Ｃが移動する）に従って、イベント情報をキャラクタ表示制御部４４に供給する。キャラクタ表示制御部４４は、外側領域１８の所定箇所にキャラクタ画像Ｃを移動させた後、図７の例では、配信動画像表示領域１７の下方に表示される架台１９の上にキャラクタ画像Ｃがジャンプして移動した後、キャラクタ画像Ｃ’がフェードアウトして消滅するように表示を制御する。
【００７８】
さらに、イベント情報生成部４８は、同様のイベント情報を、通信部３１を介して配信サーバ１３に送信させる。配信サーバ１３では、イベント情報取得部２２は、イベント情報の内容（キャラクタ画像Ｃが移動する）に従って、イベント情報をキャラクタ表示制御部２５に供給する。そして、キャラクタ表示制御部２５は、架台１９上のキャラクタ画像Ｃ’が消滅したタイミングの直後に、図８に示すように、キャラクタ画像Ｃが重畳された配信動画像が生成されるようにキャラクタ画像Ｃの表示を制御する。このとき、キャラクタ表示制御部２５は、出演者解析部２３から供給される出演者表示位置情報に従って、出演者に重ならないようにキャラクタ画像Ｃを表示させる。さらに、アイテム表示制御部２６は、動画像に重畳されているキャラクタ画像Ｃが出演者に対してアイテム画像Ａを投げる演出が行われるように、アイテム画像Ａの表示を制御する。
【００７９】
そして、キャラクタ画像Ｃから投げられたアイテム画像Ａが出演者に届いた後、キャラクタ表示制御部２５は、キャラクタ画像Ｃがフェードアウトして消滅するように表示を制御する。このとき、キャラクタ表示制御部２５は、キャラクタ画像Ｃが配信動画像表示領域１７から消えることを表示制御情報生成部２８に対して指示する。これに従い、表示制御情報生成部２８は、キャラクタ画像Ｃを元の位置に表示するような表示制御を行うことを示す表示制御情報を生成し、ネットワーク１２を介して視聴者側情報処理装置１４に送信する。
【００８０】
その後、視聴者側情報処理装置１４では、表示制御情報取得部４２が表示制御情報を取得してキャラクタ表示制御部４４に供給し、キャラクタ表示制御部４４は、図７に示されているキャラクタ画像Ｃの元の表示位置に、キャラクタ画像Ｃを表示する制御を行う。
【００８１】
このように、第２のイベントでは、キャラクタ画像Ｃが、架台１９にジャンプした後に非表示となり、その非表示となったタイミングで配信動画像表示領域１７の出演者の表示位置以外の任意の箇所にキャラクタ画像Ｃが表れるように、外側領域１８と配信動画像表示領域１７との間でキャラクタ画像Ｃが連動するようなインタラクティブ表示が行われる。さらに、キャラクタ画像Ｃにより出演者に対してアイテム画像Ａを届ける演出が終了した後、配信動画像表示領域１７のキャラクタ画像Ｃを非表示にするとともに、外側領域１８の元の表示位置にキャラクタ画像Ｃを表示するようなインタラクティブ表示が行われる。これにより、動画像配信システム１１は、出演者および視聴者の一体感をさらに向上させるような、より高いインタラクティブ性を備えた動画像配信サービスを提供することができる。
【００８２】
なお、例えば、出演者解析部２３から供給される出演者表示位置情報に基づき、出演者がキャラクタ画像Ｃに対して行う動作（例えば、キャラクタ画像Ｃを手で外に押し出すような動作）を検出して、キャラクタ画像Ｃが外側領域１８に戻るようなインタラクティブ表示を行うことができる。また、例えば、複数のキャラクタ画像Ｃが配信動画像表示領域１７内に移動してもよく、予め設定された一定数となるまで複数のキャラクタ画像Ｃが配信動画像表示領域１７に表示可能とされ、その一定数を超えた場合には、配信動画像表示領域１７の枠外にキャラクタ画像Ｃが弾かれるような演出を行うことができる。また、特定の操作を行った視聴者のキャラクタ画像Ｃだけが配信動画像表示領域１７に表示されるようにしてもよい。
【００８３】
図９を参照して、第３のイベントにおけるインタラクティブ表示について説明する。
【００８４】
図９に示すように、第３のイベントでは、配信動画像表示領域１７の配信動画像に映されている出演者から、外側領域１８に表示されているキャラクタ画像Ｃに向かって、アイテム画像Ａを送り届けるようなインタラクティブ表示が行われる。
【００８５】
例えば、出演者が、ハートが描かれたパネルを持った状態で撮像された動画像が出演者側情報処理装置１５から配信サーバ１３に送信されると、配信サーバ１３では、出演者解析部２３が、出演者が持っているパネルを認識する。そして、出演者解析部２３は、そのパネルに対応付けられているイベント情報を生成して、イベント情報取得部２２に供給する。例えば、ハートが描かれたパネルは、特定の複数のキャラクタ画像Ｃにハート形のアイテム画像Ａを送り届けるイベントに対応付けられており、図９に示す例では、キャラクタ画像Ｃ１乃至Ｃ６にアイテム画像Ａ１乃至Ａ６がそれぞれ送り届けられる演出が行われている状況が示されている。
【００８６】
イベント情報取得部２２は、イベント情報の内容（特定の複数のキャラクタ画像Ｃに複数のアイテム画像Ａを届ける）に従って、イベント情報をアイテム表示制御部２６に供給する。さらに、イベント情報取得部２２は、キャラクタ画像Ｃ１乃至Ｃ６に対応する視聴者の視聴者側情報処理装置１４に対して、外側領域１８に表示されているキャラクタ画像Ｃ１乃至Ｃ６の位置を送信するように要求し、キャラクタ画像Ｃ１乃至Ｃ６の位置を把握してアイテム表示制御部２６に指示する。
【００８７】
アイテム表示制御部２６は、例えば、出演者が持っているパネルからキャラクタ画像Ｃ１乃至Ｃ６の位置に向かって、それぞれ対応するアイテム画像Ａ１乃至Ａ６が移動するように、アイテム画像Ａ１乃至Ａ６の表示を制御する。そして、アイテム表示制御部２６は、アイテム画像Ａ１乃至Ａ６が配信動画像表示領域１７の内縁に到達すると、配信動画像表示領域１７におけるアイテム画像Ａ１乃至Ａ６を非表示にする。このとき、アイテム表示制御部２６は、アイテム画像Ａ１乃至Ａ６それぞれが非表示となるタイミングや、位置、方向、速度などを、表示制御情報生成部２８に対して指示する。これに従い、表示制御情報生成部２８は、アイテム画像Ａ１乃至Ａ６が、配信動画像表示領域１７と外側領域１８との間で連動するようにアイテム画像Ａ１乃至Ａ６を外側領域１８に表示させるのに必要な情報を含む表示制御情報を生成する。そして、表示制御情報生成部２８は、生成した表示制御情報を、ネットワーク１２を介して視聴者側情報処理装置１４および出演者側情報処理装置１５に送信する。
【００８８】
視聴者側情報処理装置１４および出演者側情報処理装置１５では、表示制御情報取得部４２が表示制御情報を取得してアイテム表示制御部４５に供給する。これにより、アイテム表示制御部４５は、配信動画像表示領域１７においてアイテム画像Ａ１乃至Ａ６それぞれが非表示となるタイミングで、配信動画像表示領域１７でのアイテム画像Ａ１乃至Ａ６それぞれの移動方向に沿った配信動画像表示領域１７の外縁にアイテム画像Ａ１乃至Ａ６を表示し、アイテム画像Ａ１乃至Ａ６が移動を続けてキャラクタ画像Ｃ１乃至Ｃ６まで届くように表示を制御する。
【００８９】
このように、第３のイベントでは、出演者からキャラクタ画像Ｃ１乃至Ｃ６に向かってアイテム画像Ａ１乃至Ａ６が届くように、配信動画像表示領域１７と外側領域１８との間でアイテム画像Ａ１乃至Ａ６の移動が連続的な軌跡となるように連動するインタラクティブ表示が行われる。これにより、動画像配信システム１１は、出演者および視聴者の一体感をさらに向上させるような、より高いインタラクティブ性を備えた動画像配信サービスを提供することができる。
【００９０】
図１０および図１１を参照して、第４のイベントにおけるインタラクティブ表示について説明する。
【００９１】
第４のイベントでは、第３のイベントと同様に、配信動画像表示領域１７の配信動画像に映されている出演者から、外側領域１８に表示されているキャラクタ画像Ｃに向かって、アイテム画像Ａを送り届けるようなインタラクティブ表示が行われる。
【００９２】
例えば、出演者が、手でハートの形状を作るジェスチャを行った動画像が出演者側情報処理装置１５から配信サーバ１３に送信されると、配信サーバ１３では、出演者解析部２３が、出演者のジェスチャを認識する。そして、出演者解析部２３は、そのジェスチャに対応付けられているイベント情報を生成して、イベント情報取得部２２に供給する。例えば、手でハートの形状を作るジェスチャは、図９で説明した第３のイベントと同様に、特定の複数のキャラクタ画像Ｃにハート形のアイテム画像Ａを送り届けるイベントに対応付けられている。
【００９３】
従って、図９の説明と同様に、出演者からキャラクタ画像Ｃ１乃至Ｃ６に向かってアイテム画像Ａ１乃至Ａ６が届くように、配信動画像表示領域１７と外側領域１８との間でアイテム画像Ａ１乃至Ａ６の移動が連続的な軌跡となるように連動するインタラクティブ表示が行われる。
【００９４】
さらに、第４のイベントでは、アイテム画像Ａ１乃至Ａ６がキャラクタ画像Ｃ１乃至Ｃ６に届いたタイミングに合わせて、それぞれ対応する視聴者が、キャラクタ画像Ｃ１乃至Ｃ６をジャンプさせてアイテム画像Ａ１乃至Ａ６をキャッチさせる操作を操作部３３に対して行うことができる。このとき、アイテム画像Ａ１乃至Ａ６が届くタイミングに合わせて操作が行われると、イベント情報生成部４８は、アイテム画像Ａ１乃至Ａ６をキャッチさせるイベント情報を生成して、表示制御情報取得部４２に供給する。表示制御情報取得部４２は、イベント情報をキャラクタ表示制御部４４に供給し、キャラクタ表示制御部４４は、図１１に示すように、キャラクタ画像Ｃ１乃至Ｃ６をジャンプさせてアイテム画像Ａ１乃至Ａ６をキャッチするように表示を制御する。
【００９５】
このように、第４のイベントでは、出演者からキャラクタ画像Ｃ１乃至Ｃ６に届けられたアイテム画像Ａ１乃至Ａ６をキャッチするようなインタラクティブ表示が行われる。これにより、動画像配信システム１１は、出演者および視聴者の一体感をさらに向上させるような、より高いインタラクティブ性を備えた動画像配信サービスを提供することができる。なお、例えば、図９に示したようなパネルや、図１０および図１１を参照して説明したようなジェスチャなどをイベント発生のトリガーとする他、出演者の服装のデザインや装着物（例えば、メガネ）などをイベント発生のトリガーとしてもよい。また、それらのトリガーによって、出演者により発生するイベントの内容が変化するようにしてもよい。さらに、キャラクタ画像Ｃ１乃至Ｃ６の組み合わせによって、出演者により発生するイベントの内容が変化するようにしてもよい。
【００９６】
図１２乃至図１４を参照して、第５のイベントにおけるインタラクティブ表示について説明する。
【００９７】
図１２乃至図１４に示すように、第５のイベントでは、外側領域１８のキャラクタ画像Ｃから投げられたアイテム画像Ａが、配信動画像表示領域１７内を通過して、外側領域１８に戻るようなインタラクティブ表示が行われる。
【００９８】
例えば、視聴者側情報処理装置１４において、第５のイベントを発生させる操作が操作部３３に対して行われると、イベント情報生成部４８は、その操作に従ったイベント情報を生成して、表示制御情報取得部４２に供給する。表示制御情報取得部４２は、イベント情報の内容（アイテム画像Ａが配信動画像表示領域１７内を通過する）に従って、イベント情報をアイテム表示制御部４５に供給する。アイテム表示制御部４５は、図１２の例では、キャラクタ画像Ｃ１およびＣ２から投げられた、アイテム画像Ａ１乃至Ａ６が配信動画像表示領域１７の上辺に並ぶように表示を制御する。そして、アイテム表示制御部４５は、アイテム画像Ａ１乃至Ａ６が下方に向かって移動して配信動画像表示領域１７の外縁に到達すると、外側領域１８におけるアイテム画像Ａ１乃至Ａ６を非表示にする。
【００９９】
さらに、イベント情報生成部４８は、同様のイベント情報を、通信部３１を介して配信サーバ１３に送信させる。配信サーバ１３では、イベント情報取得部２２は、イベント情報の内容（アイテム画像Ａが配信動画像表示領域１７内を通過する）に従って、イベント情報をアイテム表示制御部２６に供給する。そして、アイテム表示制御部２６は、アイテム画像Ａ１乃至Ａ６が非表示となったタイミングの直後に、図１３に示すように、配信動画像表示領域１７の上辺の内側に表示されるようにアイテム画像Ａ１乃至Ａ６の表示を制御する。
【０１００】
そして、アイテム表示制御部２６は、出演者の周囲に振り落ちるようにアイテム画像Ａ１乃至Ａ６の表示を制御し、アイテム画像Ａ１乃至Ａ６が配信動画像表示領域１７の下辺の内側に到達すると、配信動画像表示領域１７におけるアイテム画像Ａ１乃至Ａ６を非表示にする。このとき、図示しないが、アイテム表示制御部２６は、出演者解析部２３から供給される出演者表示位置情報に従って、アイテム画像Ａ１乃至Ａ６が出演者に当たって飛び散るような演出を行ってもよい。
【０１０１】
さらに、アイテム表示制御部２６は、アイテム画像Ａ１乃至Ａ６が配信動画像表示領域１７から外側領域１８に移動するように、アイテム画像Ａ１乃至Ａ６が移動するタイミングや、位置、方向、速度などを表示制御情報生成部２８に指示する。これに従い、表示制御情報生成部２８は、アイテム画像Ａ１乃至Ａ６を外側領域１８に連動して表示するような表示制御を行うことを示す表示制御情報を生成し、ネットワーク１２を介して視聴者側情報処理装置１４および出演者側情報処理装置１５に送信する。
【０１０２】
これにより、図１４に示すように、視聴者側情報処理装置１４および出演者側情報処理装置１５では、表示制御情報取得部４２が表示制御情報を取得してアイテム表示制御部４５に供給し、アイテム表示制御部４５は、外側領域１８の所定箇所に移動するようにアイテム画像Ａ１乃至Ａ６の表示を制御する。
【０１０３】
このように、第５のイベントでは、配信動画像表示領域１７の上縁において、外側領域１８から配信動画像表示領域１７内にアイテム画像Ａ１乃至Ａ６が移動する際に、アイテム画像Ａ１乃至Ａ６の移動が連続的な軌跡で表示されるように連動するインタラクティブ表示が行われる。さらに、アイテム画像Ａ１乃至Ａ６が配信動画像表示領域１７を通過した後、配信動画像表示領域１７の下縁において、配信動画像表示領域１７内から外側領域１８にアイテム画像Ａ１乃至Ａ６が移動する際に、アイテム画像Ａ１乃至Ａ６の移動が連続的な軌跡で表示されるように連動するインタラクティブ表示が行われる。これにより、動画像配信システム１１は、出演者および視聴者の一体感をさらに向上させるような、より高いインタラクティブ性を備えた動画像配信サービスを提供することができる。
【０１０４】
図１５および図１６を参照して、第６のイベントにおけるインタラクティブ表示について説明する。
【０１０５】
図１５および図１６に示すように、第６のイベントでは、配信動画像に映されている出演者からキャラクタ画像Ｃに向かってアイテム画像Ａが投げられ、キャラクタ画像Ｃを経由して、出演者にアイテム画像Ａが戻るようなインタラクティブ表示が行われる。
【０１０６】
例えば、出演者側情報処理装置１５において、出演者が、アイテム画像Ａを指定して第６のイベントを発生させる操作を操作部３３に対して行うと、イベント情報生成部４８は、その操作に従ったイベント情報を生成し、通信部３１を介して配信サーバ１３に送信する。
【０１０７】
配信サーバ１３では、イベント情報取得部２２がイベント情報を取得してアイテム表示制御部２６に供給する。アイテム表示制御部２６は、出演者解析部２３による出演者の位置を解析した解析結果に基づいて、出演者の手からアイテム画像Ａが投げられるように、アイテム画像Ａの表示を制御する。そして、アイテム表示制御部２６は、配信動画像表示領域１７の外に向かってアイテム画像Ａを移動させ、配信動画像表示領域１７から外に消えるようにアイテム画像Ａの表示を制御する。
【０１０８】
さらに、アイテム表示制御部２６は、アイテム画像Ａが非表示となるタイミングや、位置、方向、速度などを、表示制御情報生成部２８に対して指示する。これに従い、表示制御情報生成部２８は、アイテム画像Ａが、配信動画像表示領域１７と外側領域１８との間で連動するようにアイテム画像Ａを外側領域１８に表示させるのに必要な情報を含む表示制御情報を生成する。そして、表示制御情報生成部２８は、生成した表示制御情報を、ネットワーク１２を介して視聴者側情報処理装置１４および出演者側情報処理装置１５に送信する。
【０１０９】
視聴者側情報処理装置１４および出演者側情報処理装置１５では、表示制御情報取得部４２が表示制御情報を取得して、アイテム表示制御部４５に供給する。アイテム表示制御部４５は、表示制御情報に従って、配信動画像表示領域１７の表示から連動して外側領域１８に表示されるようにアイテム画像Ａの表示を制御し、キャラクタ画像Ｃに向かって移動するようにアイテム画像Ａの表示を制御する。
【０１１０】
その後、視聴者側情報処理装置１４において、例えば、視聴者が、キャラクタ画像Ｃがアイテム画像Ａをキャッチして投げ返すような操作を操作部３３に対して行うと、イベント情報生成部４８は、その操作に従ったイベント情報を生成して、表示制御情報取得部４２に供給する。表示制御情報取得部４２は、イベント情報の内容に従って、アイテム表示制御部４５にイベント情報を供給する。
【０１１１】
これにより、図１６に示すように、アイテム表示制御部４５は、配信動画像表示領域１７の上縁の所定位置までアイテム画像Ａが移動するように、アイテム画像Ａの表示を制御する。そして、アイテム表示制御部４５は、アイテム画像Ａが配信動画像表示領域１７の上縁の外側の所定位置に到達すると、外側領域１８におけるアイテム画像Ａを非表示にする。
【０１１２】
また、イベント情報生成部４８は、生成したイベント情報を、通信部３１を介して配信サーバ１３に送信し、配信サーバ１３では、イベント情報取得部２２がイベント情報を取得して、アイテム表示制御部２６に供給する。アイテム表示制御部２６は、そのイベント情報に従って、外側領域１８においてアイテム画像Ａが非表示となるタイミングまで処理を待機し、そのタイミングとなったときにアイテム画像Ａが、配信動画像表示領域１７の上辺の内側の所定位置から下方に向かって移動するように、アイテム画像Ａの表示を制御する。
【０１１３】
このとき、例えば、アイテム画像Ａの移動方向に、出演者の手があることが出演者解析部２３による解析結果としてアイテム表示制御部２６に供給されている場合、アイテム表示制御部２６は、その手のひらでアイテム画像Ａが停止するように表示を制御することができる。なお、図示するような星形のアイテム画像Ａの他、アイテム画像Ａの種類に応じて、インタラクティブ表示の効果を変更することができる。例えば、アイテム画像Ａがボールである場合、出演者とキャラクタ画像Ｃとがキャッチボールを行うような効果を演出することができる。
【０１１４】
このように、第６のイベントでは、出演者からキャラクタ画像Ｃに向かってアイテム画像Ａが届くように、配信動画像表示領域１７と外側領域１８との間でアイテム画像Ａの移動が連続的な軌跡となるように連動するインタラクティブ表示が行われる。さらに、キャラクタ画像Ｃから出演者に向かってアイテム画像Ａが戻されるように、配信動画像表示領域１７と外側領域１８との間でアイテム画像Ａの移動が連続的な軌跡となるように連動するインタラクティブ表示が行われる。これにより、動画像配信システム１１は、出演者および視聴者の一体感をさらに向上させるような、より高いインタラクティブ性を備えた動画像配信サービスを提供することができる。
【０１１５】
なお、動画像配信システム１１では、上述したように、１つの配信動画像表示領域１７が配信動画像再生画面１６に表示される動画像配信サービスを提供する他、複数の配信動画像表示領域１７が配信動画像再生画面１６に表示される動画像配信サービスを提供することができる。この場合、外側領域１８と配信動画像表示領域１７との間でアイテム画像Ａおよびキャラクタ画像Ｃが連動するようなインタラクティブ表示に加えて、複数の配信動画像表示領域１７の間においてアイテム画像Ａおよびキャラクタ画像Ｃが連動するようなインタラクティブ表示を行うことができる。
【０１１６】
図１７を参照して、複数の配信動画像表示領域１７におけるインタラクティブ表示について説明する。
【０１１７】
図１７には、３つの配信動画像表示領域１７Ａ乃至１７Ｃが表示された配信動画像再生画面１６の表示例が示されている。例えば、配信動画像表示領域１７Ａに映されている出演者が、図１５を参照した説明と同様に、アイテム画像Ａを投げるイベントを発生させると、そのイベント情報は、配信動画像表示領域１７Ａに映されている出演者の出演者側情報処理装置１５から配信サーバ１３に送信される。そして、配信サーバ１３では、イベント情報に基づいて、アイテム表示制御部２６により、配信動画像表示領域１７Ａと配信動画像表示領域１７Ｂとの間で連動するようにアイテム画像Ａの表示が制御される。
【０１１８】
その後、アイテム画像Ａは、配信動画像表示領域１７Ｂから配信動画像表示領域１７Ｃに向かって移動し、アイテム表示制御部２６は、配信動画像表示領域１７Ｂと配信動画像表示領域１７Ｃとの間で連動するように表示を制御する。
【０１１９】
さらに、アイテム画像Ａは、配信動画像表示領域１７Ｃから外側領域１８に表示されているキャラクタ画像Ｃに向かって移動し、外側領域１８における表示に必要な表示制御情報が、配信サーバ１３からキャラクタ画像Ｃの視聴者側情報処理装置１４に送信される。これにより、配信動画像表示領域１７Ｃと外側領域１８との間で連動するようにアイテム画像Ａが表示され、アイテム画像Ａがキャラクタ画像Ｃまで届くような演出が行われる。
【０１２０】
このように、動画像配信システム１１では、複数の配信動画像表示領域１７の間と、配信動画像表示領域１７および外側領域１８の間とで、アイテム画像Ａが連動して表示されるようなインタラクティブ表示を行うことができる。これにより、動画像配信システム１１は、複数の出演者と視聴者との一体感をさらに向上させるような、より高いインタラクティブ性を備えた動画像配信サービスを提供することができる。
【０１２１】
次に、図１８は、配信サーバ１３において行われる表示処理を説明するフローチャートである。
【０１２２】
例えば、出演者側情報処理装置１５から動画像の送信が行われると処理が開始され、ステップＳ１１において、動画像取得部２１は、出演者側情報処理装置１５から送信されてくる動画像を取得する。そして、動画像取得部２１は、取得した動画像を、出演者解析部２３および配信動画像生成部２７に供給する。
【０１２３】
ステップＳ１２において、出演者解析部２３は、ステップＳ１１で動画像取得部２１から供給される動画像に映されている出演者の顔や身体の位置を解析して、その解析の結果得られる出演者の表示位置を示す出演者表示位置情報を、キャラクタ表示制御部２５およびアイテム表示制御部２６に供給する。また、出演者解析部２３は、出演者の動作や表情などを解析したり、出演者が持っている物などを解析したりして、その解析結果が出演者によるイベントの発生条件を満たしている場合、解析結果に従ったイベント情報をイベント情報取得部２２に供給する。
【０１２４】
ステップＳ１３において、イベント情報取得部２２は、ネットワーク１２を介してイベント情報が送信されてくると、または、ステップＳ１２において出演者解析部２３からイベント情報が供給されると、イベント情報を取得する。なお、ネットワーク１２を介してイベント情報が送信されていないとき、および、出演者解析部２３からイベント情報が供給されていないとき、ステップＳ１３の処理はスキップされる。
【０１２５】
ステップＳ１４において、イベント情報取得部２２は、イベントを配信動画像に反映させるか否かを判定する。例えば、ステップＳ１３でイベント情報を取得していると、イベント情報取得部２２は、そのイベント情報に従ったイベントを配信動画像に反映させると判定する。
【０１２６】
ステップＳ１４において、イベント情報取得部２２が、イベントを配信動画像に反映させると判定した場合、処理はステップＳ１５に進む。
【０１２７】
ステップＳ１５において、イベント情報取得部２２は、取得したイベント情報の内容に従って、キャラクタ表示制御部２５またはアイテム表示制御部２６にイベント情報を供給する。これにより、キャラクタ表示制御部２５またはアイテム表示制御部２６は、イベント情報に従って、配信動画像に重畳されるキャラクタ画像Ｃまたはアイテム画像Ａの表示制御を行う。
【０１２８】
ステップＳ１６において、キャラクタ表示制御部２５またはアイテム表示制御部２６は、キャラクタ画像Ｃまたはアイテム画像Ａが配信動画像表示領域１７から外側領域１８に移動する場合、その旨を表示制御情報生成部２８に指示する。これに応じて、表示制御情報生成部２８は、配信動画像表示領域１７から外側領域１８への移動の前後で連動するようにキャラクタ画像Ｃまたはアイテム画像Ａを表示させるのに必要な表示制御情報を生成し、ネットワーク１２を介して送信する。
【０１２９】
ステップＳ１７において、配信動画像生成部２７は、ステップＳ１１で動画像取得部２１から供給される動画像に、ステップＳ１５における表示制御に従ってキャラクタ画像Ｃおよびアイテム画像Ａが重畳して表示される配信動画像を生成する。
【０１３０】
ステップＳ１７の処理後、または、ステップＳ１４においてイベントを配信動画像に反映させないと判定された場合、処理はステップＳ１８に進む。
【０１３１】
ステップＳ１８において、配信動画像生成部２７は、配信動画像を出力し、ネットワーク１２を介して視聴者側情報処理装置１４および出演者側情報処理装置１５に送信する。このとき、ステップＳ１７においてアイテム画像Ａまたはキャラクタ画像Ｃが重畳された配信動画像が生成されていた場合には、配信動画像生成部２７は、ステップＳ１７において生成された配信動画像を出力する。一方、ステップＳ１４においてイベントを配信動画像に反映させないと判定された場合には、配信動画像生成部２７は、ステップＳ１１で動画像取得部２１から供給された動画像を配信動画像として出力する。
【０１３２】
ステップＳ１８の処理後、処理はステップＳ１１に戻り、次の動画像（例えば、次の１フレーム）を処理の対象として、出演者側情報処理装置１５からの動画像の供給が停止するまで、以下、同様の処理が繰り返される。
【０１３３】
次に、図１９は、視聴者側情報処理装置１４において行われる表示処理を説明するフローチャートである。
【０１３４】
例えば、配信サーバ１３からの配信動画像の配信が行われると処理が開始され、ステップＳ２１において、配信動画像取得部４１は、ネットワーク１２を介して配信サーバ１３から配信されてくる配信動画像を取得して、再生画面生成部４７に供給する。
【０１３５】
ステップＳ２２において、イベント情報生成部４８は、イベントが発生したか否かを判定する。例えば、視聴者が操作部３３に対いてイベントを発生させる操作を行い、その操作情報が供給さると、イベント情報生成部４８は、イベントが発生したと判定する。
【０１３６】
ステップＳ２２において、イベント情報生成部４８が、イベントが発生したと判定した場合、処理はステップＳ２３に進む。
【０１３７】
ステップＳ２３において、イベント情報生成部４８は、操作部３３から供給される操作情報に対応するイベント情報を生成する。そして、イベント情報生成部４８は、生成したイベント情報を、通信部３１を介して配信サーバ１３および出演者側情報処理装置１５に送信させるとともに、表示制御情報取得部４２に供給し、処理はステップＳ２４に進む。
【０１３８】
一方、ステップＳ２２において、イベント情報生成部４８が、イベントが発生していないと判定した場合、処理は、ステップＳ２３をスキップしてステップＳ２４に進む。
【０１３９】
ステップＳ２４において、表示制御情報取得部４２は、ネットワーク１２を介して表示制御情報が送信されてくると、表示制御情報を取得する。または、表示制御情報取得部４２は、ステップＳ２３においてイベント情報生成部４８がイベント情報を生成していた場合、そのイベント情報を取得する。なお、ネットワーク１２を介して表示制御情報が送信されていないとき、および、ステップＳ２３においてイベント情報生成部４８がイベント情報を生成していないとき、ステップＳ２４の処理はスキップされる。
【０１４０】
ステップＳ２５において、表示制御情報取得部４２は、イベントを外側領域１８に反映させるか否かを判定する。例えば、ステップＳ２４で表示制御情報またはイベント情報を取得していると、表示制御情報取得部４２は、その表示制御情報またはイベント情報に従ったイベントを外側領域１８に反映させると判定する。
【０１４１】
ステップＳ２５において、表示制御情報取得部４２が、イベントを外側領域１８に反映させると判定した場合、処理はステップＳ２６に進む。
【０１４２】
ステップＳ２６において、表示制御情報取得部４２は、ステップＳ２４で取得した表示制御情報の内容に従って、キャラクタ表示制御部４４またはアイテム表示制御部４５に表示制御情報を供給する。または、表示制御情報取得部４２は、ステップＳ２４で取得したイベント情報の内容に従って、キャラクタ表示制御部４４またはアイテム表示制御部４５にイベント情報を供給する。
【０１４３】
例えば、キャラクタ表示制御部４４に表示制御情報またはイベント情報が供給されると、キャラクタ表示制御部４４は、表示制御情報またはイベント情報に従って、外側領域１８におけるキャラクタ画像Ｃの表示を制御する。また、アイテム表示制御部４５に表示制御情報またはイベント情報が供給されると、アイテム表示制御部４５は、表示制御情報またはイベント情報に従って、外側領域１８におけるアイテム画像Ａの表示を制御する。
【０１４４】
ステップＳ２６の処理後、または、ステップＳ２５において、表示制御情報取得部４２が、イベントを外側領域１８に反映させないと判定した場合、処理はステップＳ２７に進む。
【０１４５】
ステップＳ２７において、外側領域描画処理部４６は、外側領域１８の描画処理を行って、外側領域１８を再生画面生成部４７に供給する。例えば、ステップＳ２６において、キャラクタ表示制御部４４によるキャラクタ画像Ｃの表示制御、または、アイテム表示制御部４５によるアイテム画像Ａの表示制御が行われていた場合、外側領域描画処理部４６は、それらの表示制御に従って、キャラクタ画像Ｃまたはアイテム画像Ａを外側領域１８に描画する描画処理を行う。または、ステップＳ２５において、表示制御情報取得部４２が、イベントを外側領域１８に反映させないと判定した場合、ステップＳ２７では、イベントが行われない状態のキャラクタ画像Ｃを外側領域１８に描画する描画処理を行う。
【０１４６】
ステップＳ２８において、再生画面生成部４７は、ステップＳ２１で配信動画像取得部４１から供給される配信動画像を配信動画像表示領域１７に表示し、その外側に、ステップＳ２７で外側領域描画処理部４６から供給される外側領域１８を表示するような配信動画像再生画面１６を生成する。
【０１４７】
ステップＳ２９において、再生画面生成部４７は、ステップＳ２８で生成した配信動画像再生画面１６を表示部３２に供給して表示させる。
【０１４８】
ステップＳ２９の処理後、処理はステップＳ２１に戻り、次の動画像（例えば、次の１フレーム）を処理の対象として、配信サーバ１３からの配信動画像の配信が停止するまで、以下、同様の処理が繰り返される。
【０１４９】
なお、出演者側情報処理装置１５においても、図１９のフローチャートを参照して説明したのと同様に、表示処理が行われる。
【０１５０】
以上のように、配信サーバ１３、視聴者側情報処理装置１４、および出演者側情報処理装置１５において、それぞれ表示処理が行われることで、動画像配信システム１１では、外側領域１８と配信動画像表示領域１７との間でキャラクタ画像Ｃやアイテム画像Ａなどが連動するようなインタラクティブ表示を実現した動画像配信サービスを提供することができる。
【０１５１】
なお、動画像配信システム１１は、例えば、配信サーバ１３において全ての表示処理（即ち、配信動画像表示領域１７および外側領域１８における表示処理）を行って、配信サーバ１３から配信動画像再生画面１６そのものを配信するような構成としてもよい。または、視聴者側情報処理装置１４および出演者側情報処理装置１５に十分な処理能力がある場合、視聴者側情報処理装置１４および出演者側情報処理装置１５において全ての表示処理を行ってもよい。
【０１５２】
また、図６乃至図１６を参照して説明したインタラクティブ表示は、動画像配信システム１１において実施可能な一部の例であって、これらのインタラクティブ表示以外の表示制御が行われてもよい。
【０１５３】
なお、本実施の形態においては、配信動画像表示領域１７または外側領域１８にキャラクタ画像Ｃやアイテム画像Ａなどが重畳されるような表示処理を行う例について説明したが、本技術は、このような表示処理以外に適用することができる。例えば、配信動画像表示領域１７または外側領域１８にキャラクタ画像Ｃやアイテム画像Ａなどを合成して、１枚の画像として表示するような表示方法を採用してもよい。また、例えば、複数台のプロジェクタを利用して、１台のプロジェクタにより配信動画像表示領域１７および外側領域１８を投影し、他のプロジェクタによりキャラクタ画像Ｃやアイテム画像Ａなどを投影して表示するような表示方法を採用してもよい。その他、本技術では、配信動画像表示領域１７または外側領域１８に対して、キャラクタ画像Ｃやアイテム画像Ａなどを付加的に表示する様々な表示方法を採用することができる。
【０１５４】
また、例えば、視聴者側情報処理装置１４および出演者側情報処理装置１５として、パーソナルコンピュータを用いることができ、その他、いわゆるスマートフォンやゲーム機器などを用いることができる。さらに、視聴者側情報処理装置１４として、例えば、視聴者の頭部に装着可能なヘッドマウントディスプレイを用いることで、出演者との一体感をより強く演出することができる。
【０１５５】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【０１５６】
また、上述した一連の処理（情報処理方法）は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラムが記録されたプログラム記録媒体からインストールされる。
【０１５７】
図２０は、上述した一連の処理をプログラムにより実行するコンピュータのハードウエアの構成例を示すブロック図である。
【０１５８】
コンピュータにおいて、CPU（Central Processing Unit）１０１，ROM（Read Only Memory）１０２，RAM（Random Access Memory）１０３は、バス１０４により相互に接続されている。
【０１５９】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【０１６０】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【０１６１】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【０１６２】
そして、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ROM１０２や記憶部１０８に、あらかじめインストールしておくことができる。
【０１６３】
なお、本技術は以下のような構成も取ることができる。
（１）
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、
前記情報に基づいて、前記付加画像が前記配信動画像表示領域と前記外側領域との間で移動する場合に、前記付加画像の表示を制御する表示制御部と
を備える情報処理装置。
（２）
前記情報取得部は、前記情報として、前記配信動画像を視聴している視聴者に対応する前記付加画像である第１の付加画像から、前記配信動画像に出演している出演者へ向かう前記付加画像である第２の付加画像を移動させるイベント情報を取得し、
前記表示制御部は、前記第１の付加画像が表示されている前記外側領域から前記配信動画像表示領域に前記第２の付加画像が移動する際に、前記外側領域における移動から前記配信動画像における移動が連続的な軌跡となるように前記第２の付加画像を表示させる
上記（１）に記載の情報処理装置。
（３）
前記情報取得部は、前記情報として、前記配信動画像を視聴している視聴者に対応する前記付加画像が前記配信動画像に出演している出演者に対して所定の演出を行うイベント情報を取得し、
前記表示制御部は、前記外側領域に表示されている前記付加画像が非表示となったタイミングで前記配信動画像における前記出演者の表示領域以外の任意の箇所に前記付加画像を表示させ、前記付加画像による前記出演者に対する前記演出が終了した後、前記配信動画像上から前記付加画像を非表示にするとともに、前記外側領域に表示されるように前記付加画像の表示を制御する
上記（１）または（２）に記載の情報処理装置。
（４）
前記情報取得部は、前記情報として、前記外側領域から前記配信動画像内を通過して前記外側領域に戻るように前記付加画像を移動させるイベント情報を取得し、
前記表示制御部は、前記外側領域から前記配信動画像表示領域に前記付加画像が移動する際に、前記外側領域における移動から前記配信動画像における移動が連続的な軌跡となるように前記付加画像を表示させ、前記付加画像が前記配信動画像内を通過した後、前記配信動画像表示領域から前記外側領域に前記付加画像が移動する際に、前記配信動画像における移動から前記外側領域における移動が連続的な軌跡となるように前記付加画像の表示を制御する
上記（１）から（３）までのいずれかに記載の情報処理装置。
（５）
前記情報取得部は、前記情報として、前記配信動画像に出演している出演者が、前記配信動画像を視聴している視聴者に対応する前記付加画像である第１の付加画像に対して所定の演出を行うイベント情報を取得し、
前記表示制御部は、前記配信動画像上の前記出演者から前記外側領域に表示されている前記第１の付加画像に向かう前記付加画像である第２の付加画像を前記配信動画像に移動して表示させるとともに、前記配信動画像表示領域から前記外側領域に前記第２の付加画像が移動する際に、前記配信動画像における移動から前記外側領域における移動が連続的な軌跡となるように前記第２の付加画像の表示を制御する
上記（１）から（４）までのいずれかに記載の情報処理装置。
（６）
前記表示制御部は、前記外側領域に表示されている前記第１の付加画像に届いた前記第２の付加画像が前記外側領域から前記配信動画像表示領域に戻る移動の際に、前記外側領域における移動から前記配信動画像における移動が連続的な軌跡となるように前記第２の付加画像の表示を制御する
上記（１）から（５）までのいずれかに記載の情報処理装置。
（７）
前記配信動画像に出演している出演者の表示位置を解析する出演者解析部をさらに備え、
前記表示制御部は、前記出演者の表示位置に重ならないように前記付加画像の表示を制御する
上記（１）から（６）までのいずれかに記載の情報処理装置。
（８）
前記表示制御部は、前記配信動画像表示領域における前記付加画像の表示を制御し、
前記配信動画像を表示する他の情報処理装置において、前記付加画像を前記外側領域に表示させる際に、前記表示制御部による前記付加画像の表示と連動させるのに必要な前記情報である表示制御情報を生成する表示制御情報生成部をさらに備える
上記（１）から（７）までのいずれかに記載の情報処理装置。
（９）
前記表示制御情報生成部で生成された表示制御情報は、前記表示制御部にも供給され、
前記表示制御部は、前記表示制御情報を、前記動画像に対して次の処理を行う際の前記付加画像の表示に反映させる
上記（８）に記載の情報処理装置。
（１０）
前記配信動画像に出演する出演者が映されている動画像を取得する動画像取得部と、
前記表示制御部による表示の制御に従って、前記動画像取得部が取得した前記動画像に対して前記付加画像を付加して前記配信動画像を生成する配信動画像生成部と
をさらに備え、
前記情報取得部は、他の情報処理装置で前記配信動画像を視聴している視聴者による操作に従って、前記他の情報処理装置から送信されてくるイベント情報を前記情報として取得し、
前記表示制御部は、前記イベント情報に基づいて、前記配信動画像表示領域における前記付加画像の表示を制御する
上記（１）に記載の情報処理装置。
（１１）
前記情報取得部は、他の情報処理装置から送信されてくる、前記付加画像を前記配信動画像表示領域から前記外側領域に移動させる際に、前記配信動画像表示領域および前記外側領域の間で前記付加画像の表示を連動させるのに必要な表示制御情報を前記情報として取得し、
前記表示制御部は、前記表示制御情報に基づいて前記外側領域における前記付加画像の表示の制御を行い、
前記他の情報処理装置から配信される前記配信動画像を取得する配信動画像取得部と、
前記表示制御部による前記付加画像の表示の制御に従って前記付加画像が表示されるように前記外側領域を描画する外側領域描画処理部と、
前記配信動画像取得部が取得した前記配信動画像を前記配信動画像表示領域に表示し、その外側に前記外側領域描画処理部により描画された前記外側領域を表示するような再生画面を生成する再生画面生成部と
をさらに備える上記（１）に記載の情報処理装置。
（１２）
前記表示制御部は、複数の前記配信動画像表示領域が表示されている場合、一方の前記配信動画像表示領域から他方の前記配信動画像表示領域への前記付加画像の移動が連動するように、前記付加画像の表示を制御する
上記（１）から（１１）までのいずれかに記載の情報処理装置。
（１３）
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得し、
前記情報に基づいて、前記付加画像が前記配信動画像表示領域と前記外側領域との間で移動する場合に、前記付加画像の表示を制御する
ステップを含む情報処理方法。
（１４）
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得し、
前記情報に基づいて、前記付加画像が前記配信動画像表示領域と前記外側領域との間で移動する場合に、前記付加画像の表示を制御する
ステップを含む情報処理をコンピュータに実行させるプログラム。
（１５）
配信動画像を表示する配信動画像表示領域に対して、または、前記配信動画像表示領域の外側に設けられる外側領域に対して表示される付加画像を、前記配信動画像表示領域と前記外側領域との一方から他方へ移動させる情報を取得する情報取得部と、
前記情報に基づいて、前記付加画像が前記配信動画像表示領域と前記外側領域との間で移動する場合に、前記付加画像の表示を制御する表示制御部と
を備える複数の情報処理装置がネットワークを介して接続されて構成される動画像配信システム。
【０１６４】
なお、本実施の形態は、上述した実施の形態に限定されるものではなく、本開示の要旨を逸脱しない範囲において種々の変更が可能である。
【符号の説明】
【０１６５】
１１  動画像配信システム，  １２  ネットワーク，  １３  配信サーバ，  １４  視聴者側情報処理装置，  １５  出演者側情報処理装置，  １６  配信動画像再生画面，  １７  配信動画像表示領域，  １８  外側領域，  １９  架台，  ２１  動画像取得部，  ２２  イベント情報取得部，  ２３  出演者解析部，  ２４  記憶部，  ２５  キャラクタ表示制御部，  ２６  アイテム表示制御部，  ２７  配信動画像生成部，  ２８  表示制御情報生成部，  ３１  通信部，  ３２  表示部，  ３３  操作部，  ３４  配信動画像処理部，  ３５  撮像部，  ４１  配信動画像取得部，  ４２  表示制御情報取得部，  ４３  記憶部，  ４４  キャラクタ表示制御部，  ４５  アイテム表示制御部，  ４６  外側領域描画処理部，  ４７  再生画面生成部，  ４８  イベント情報生成部
【図１】
2017159383.tif 000003
【図２】
2017159383.tif 000004
【図３】
2017159383.tif 000005
【図４】
2017159383.tif 000006
【図５】
2017159383.tif 000007
【図６】
2017159383.tif 000008
【図７】
2017159383.tif 000009
【図８】
2017159383.tif 000010
【図９】
2017159383.tif 000011
【図１０】
2017159383.tif 000012
【図１１】
2017159383.tif 000013
【図１２】
2017159383.tif 000014
【図１３】
2017159383.tif 000015
【図１４】
2017159383.tif 000016
【図１５】
2017159383.tif 000017
【図１６】
2017159383.tif 000018
【図１７】
2017159383.tif 000019
【図１８】
2017159383.tif 000020
【図１９】
2017159383.tif 000021
【図２０】
2017159383.tif 000022
【国際調査報告】
2017159383.tif 000023
2017159383.tif 000024
2017159383.tif 000025
2017159383.tif 000026